(57)【特許請求の範囲】
【請求項１】
屋外設備の、配管経路の表面に形成された傷、窪み、配管経路の外表面から内面に貫通する孔、又は切れ目が存在する損傷部を含む周辺部位の輪郭に沿って全周に亘り囲うことなく嵌め込まれたカバー部材、
前記カバー部材に接着剤を介して貼り付けられた補強シート、及び
前記補強シートに塗布された樹脂を含み、前記カバー部材が剛性を有するシート体で所定の形状に形成され、前記接着剤を塗布する塗布面が形成されていることを特徴とする屋外設備損傷部補修構造。
【請求項２】
前記カバー部材が前記カバー部材の弾発力によって前記屋外設備に定着されている請求項１に記載の屋外設備損傷部補修構造。
【請求項３】
屋外設備の、配管経路の表面に形成された傷、窪み、配管経路の外表面から内面に貫通する孔、又は切れ目が存在する損傷部を含む周辺部位の輪郭に沿って全周に亘り囲うことなくカバー部材を嵌め込む工程、
前記カバー部材に接着剤を介して補強シートを貼り付ける工程、及び
前記補強シートに樹脂を塗布する工程
を含み、前記カバー部材が剛性を有するシート体で所定の形状に形成され、前記接着剤を塗布する塗布面が形成されていることを特徴とする屋外設備損傷部補修方法。
【請求項４】
前記カバー部材を前記カバー部材の弾発力によって前記屋外設備に定着させる請求項３に記載の屋外設備損傷部補修方法。
【発明の詳細な説明】
【技術分野】
【０００１】
本発明は、配管経路等の屋外設備の損傷部を補修するための屋外設備損傷部補修構造及び屋外設備損傷部補修方法に関する。
【背景技術】
【０００２】
室外に設置された配管経路等の屋外設備には、配管や機器等を外気や衝撃から保護する保護材が施されている。しかしながら、これら保護材が雨や風などの影響により経時劣化した場合や、人の作業等の外的要因によって損傷した場合は、保護材も含め、屋外設備を補修する必要性が生じる。そこで、これまでに、屋外設備を補修するための様々な手法が提案されている。
【０００３】
例えば、特許文献１（特開２０１４−１１４８１８号公報）には、配管経路の損傷部にパッチ部材を貼り付け、その上から金属管を囲んで覆う合成樹脂製の包囲カバーを取り付けることにより、損傷部を補修する方法が開示されている。
【０００４】
また、特許文献２（特開昭５７−１１６９９２号公報）には、パイプラインの補強個所に、型枠を配置し樹脂を注入して硬化させることが開示されている。
【先行技術文献】
【特許文献】
【０００５】
【特許文献１】特開２０１４−１１４８１８号公報
【特許文献２】特開昭５７−１１６９９２号公報
【発明の概要】
【発明が解決しようとする課題】
【０００６】
しかしながら、従来の補修方法では、場所によっては、作業が難しくなる、作業に時間を要する、などの問題がある。具体的には、例えば、特許文献１に記載の補修方法では、合成樹脂製の包囲カバーを金属管に取り付けなければならいので、作業スペースが狭い場合、その取り付け作業が困難になる。
【０００７】
更に、包囲カバーは、金属管の径に適合したものとなっている必要があり、包囲カバーに対し金属管の径が極端に大きい場合や小さい場合には使用できない。そのため、包囲カバーは、様々な管径に対応せず、適用範囲が限られる。
【０００８】
一方、損傷部に貼り付けるパッチ部材は、金属管の壁部が欠損している場合、その欠損部から管路の内部に入り込み、管路の内部領域を侵してしまう。そのため、損傷部の状態によっては、適用できない場合がある。
【０００９】
また、特許文献２に記載の方法では、複数の箇所に損傷があった場合には、補強に長い時間を要することになる。
【００１０】
そこで、本発明は、様々な状態の損傷部に対応できる屋外設備損傷部補修構造及び屋外設備損傷部補修方法を提供することを目的とする。
【課題を解決するための手段】
【００１１】
上記の目的を達成するため、本発明に係る屋外設備損傷部補修構造は、屋外設備の、配管経路の表面に形成された傷、窪み、配管経路の外表面から内面に貫通する孔、又は切れ目が存在する損傷部を含む周辺部位の輪郭に沿って全周に亘り囲うことなく嵌め込まれたカバー部材、前記カバー部材に接着剤を介して貼り付けられた補強シート、及び前記補強シートに塗布された樹脂を含む。そして、前記カバー部材が剛性を有するシート体で所定の形状に形成され、前記接着剤を塗布する塗布面が形成されている。
【００１２】
また、本発明に係る屋外設備損傷部補修方法は、屋外設備の、配管経路の表面に形成された傷、窪み、配管経路の外表面から内面に貫通する孔、又は切れ目が存在する損傷部を含む周辺部位の輪郭に沿って全周に亘り囲うことなくカバー部材を嵌め込む工程、前記カバー部材に接着剤を介して補強シートを貼り付ける工程、及び前記補強シートに樹脂を塗布する工程を含む。そして、前記カバー部材が剛性を有するシート体で所定の形状に形成され、前記接着剤を塗布する塗布面が形成されている。
【００１３】
本発明において、カバー部材は、カバー部材自体の弾発力によって屋外設備に定着するものであることが好ましい。また、カバー部材の形状は、屋外設備の損傷部が存在する部位の形状に適合することが好ましい。例えば、補修対象が円管の損傷部であれば、カバー部材の形状を、長手方向に形成されたスリットにより周方向に分割された円筒形とすることができる。
【００１４】
なお、本発明において、屋外設備とは、上記の配管経路の他、装置機械等を収容し装置機械等を外気や衝撃から保護する筐体も含むものとする。また、配管経路とは、流体や配線などの目的物を通すための管状部に加え、流量計、バルブ、その他配管付属品を収容するための筐体部も含むものとする。
【発明の効果】
【００１５】
本発明によれば、カバー部材を損傷部に嵌め込むことで、損傷部の形状によらず、接着材を塗布するための作業に好適な塗布面を形成することができる。また、カバー部材は剛性を有するシート体で所定の形状に形成されているため、狭いスペースにも簡単に設置することができる。しかも、損傷部を有する部位の輪郭に沿って設置されるため、管路や筐体の内部領域を侵すことなく、補修できる。そのため、様々な状態の損傷部に対応できる。
【００１６】
また、カバー部材を、カバー部材自体の弾発力によって屋外設備に定着するものとすれば、カバー部材を損傷部に嵌め込む作業を、より容易に行うことができるため、作業時間の短縮を図ることができ、更に狭い場所での補修作業を可能にすることができる。しかも、カバー部材自体の弾発力によって屋外設備に定着するので、例えば、種々の管径の配管や種々の寸法の筐体であっても、同じ大きさのカバー部材で定着させることができる。したがって、適用範囲を広げることができる。
【図面の簡単な説明】
【００１７】
【図１】本発明の屋外設備損傷部補修構造の実施形態の一例を示す写真である。
【図２】図１に示す屋外設備損傷部補修構造のＡ−Ａ断面の模式図である。
【図３】カバー部材の斜視図である。
【図４】他の実施形態のカバー部材の斜視図である。
【図５】他の実施形態のカバー部材の斜視図である。
【図６】配管経路の損傷部を示す写真である。
【図７】補強シートの貼り付け作業を示す写真である。
【発明を実施するための形態】
【００１８】
（配管経路損傷部補修構造）
次に、本発明に係る屋外設備損傷部補修構造について、実施形態の一つである配管経路損傷部補修構造について、図面に基づいて説明する。図１は、本実施形態に係る配管経路損傷部補修構造の写真であり、図２は、図１に示されている配管経路損傷部補修構造のＡ−Ａ断面の模式図である。なお、図２において、補修構造を構成する各部位は位置関係を明確に示す便宜上厚く表示されているため、各部位の厚みは正確ではない。
【００１９】
配管経路損傷部補修構造１は、配管経路１０の損傷部に嵌め込まれたカバー部材５、接着剤７により貼り付けられた補強シート８、及び補強シート８に塗布して硬化させた樹脂９からなる。
【００２０】
配管経路１０は、円管１１で構成された管状部と、流量計、バルブ、その他配管付属品を収容するための図示しない筐体部とで構成されている。なお、本実施形態の管状部は円管１１で構成されているが、水や空気などの流体、或いは電線、通信線などのケーブルを通すことができるものであれば、その形状や材質は、特に制限されない。
【００２１】
損傷部は、配管経路１０の表面に形成された傷、窪みなど、或いは配管経路１０の外表面から内面に貫通する孔、切れ目などの損傷が存在する箇所である。これらは、錆などによって自然に形成されたり、人為的に形成されたりする。
【００２２】
本実施形態の損傷部は、管状部のピンホール３が形成された部位となっている。そして、ピンホール３を含む周辺部位は、カバー部材５により覆われている。カバー部材５は、剛性を有するシート体で配管経路１０に適合する形状に形成されている。具体的には、本実施形態においては、損傷部が、円管１１で構成された配管経路の管状部に存在しているため、カバー部材５は、図３に示されるように、長手方向に形成されたスリット１３により、周方向に分割された円筒形とされている。
【００２３】
カバー部材５を形成するシート体は、狭い空間にも挿入できる厚みとしたときにも所望の形状を維持できる剛性を有する材質とすることが好ましく、例えば、繊維強化プラスチック（ＦＲＰ）を採用することができる。
【００２４】
この実施形態のカバー部材５は、ＦＲＰ製のシート体で形成されており、可撓性を有するため、損傷部に嵌め込まれた状態で径方向の内側に向けて働く復元力によって円管１１に定着している。
【００２５】
カバー部材５の外表面及びカバー部材５の外表面から連続する円管１１の外表面には、接着剤７が塗布されている。本実施形態においては、円管１１の外表面にも接着剤７が塗布されているが、少なくともカバー部材５の外表面に接着剤が塗布されていればよい。接着剤７は、カバー部材５と補強シート８を接着可能であればよく、そのような接着剤としては、公知のものを用いることができる。
【００２６】
補強シート８は、接着剤７を介してカバー部材５に固定されている。本実施形態においては、補強シート８は、配管経路１０を構成する円管１１の外周を覆うように固定されている。
【００２７】
本実施形態の補強シート８には、アラミド繊維シートが採用されている。アラミド繊維シートは、強度が高く、難燃性であるため、補修部材として優れている。また、合成樹脂や金属からなる補修部材に比べ軽量であり、取り扱いも容易である。
【００２８】
補強シート８は、補修する場所や損傷の程度等に応じた形状とすることができ、本実施形態においては、カバー部材５を巻いて固定することができるバンテージ形状とされている。この他にも、例えば、カバー部材５と大きさが適合するシート形状とすることもできる。このようなアラミド繊維シートは、市販品をそのまま用いることもできるし、市販品を任意の形状に予め切断して用いることもできる。
【００２９】
補強シート８には、更に、溶媒に溶かした樹脂１１が塗布されている。そして、補強シート８の表面及び補強シート８を構成する繊維の空隙に樹脂１１が入り込んだ樹脂層が形成されている。アラミド繊維は、樹脂含浸性に優れているので、樹脂１１を有することにより、耐候性や耐衝撃性に優れた保護層を形成することができる。このような樹脂１１は、例えば、エポキシ樹脂を用いることができ、二液混合型エポキシ樹脂であることが好ましい。
【００３０】
カバー部材５は、補修対象が配管経路１０を構成する筐体部の損傷部である場合、筐体部の形状に適合するものにできる。カバー部材５の他の実施形態を図４及び図５に示す。
【００３１】
損傷部が筐体部の陵辺或いは陵辺近傍のときは、陵辺を含む部位に適合するものとして、図４に示すように、等辺山形とすることができる。この場合、筐体部の陵辺に対して配置される山形部分の内角Ｂが、その陵辺部分の角度よりも小さくなる形状とすることで、陵辺を挟む方向に働く復元力を利用して、筐体部の陵辺近傍に定着させることができる。
【００３２】
また、損傷部が筐体部の角、或いは角近傍のときは、角を含む部位に適合するものとして、図５に示すように、角を形成する３面を覆う形状とすることができる。すなわち、等辺山形の部材の山形部分の一部を山形の陵辺５２に沿って切り離し、切り離されて形成された２つの片部５３，５４を折り曲げて重なり合った形状とすることができる。この場合、２つの片部５３，５４の折り曲げ角度を調整することで、各片部が筐体部の面に密着する方向に働く復元力を利用して、筐体部の角に定着させることができる。
【００３３】
（配管経路損傷部補修方法）
次に、本発明に係る屋外設備損傷部補修方法の一つの実施形態である配管経路損傷部補修方法について、図面に基づいて説明する。図６は、配管経路１の損傷部３を示す写真である。
【００３４】
まず、損傷部にカバー部材５を嵌め込む。本実施形態においては、補修対象となる損傷部が、配管経路の円管１１で構成された管状部にあるので、カバー部材５は、図３に示されるように、長手方向に形成されたスリット１３により、周方向に分割された円筒形のものを用いる。
【００３５】
既述のように、本実施形態の損傷部は、管状部においてピンホール３が形成された部位であるため、スリット１３を広げて、管状部を構成する円管１１のピンホール３を含む周辺部位にカバー部材５を嵌め込む。カバー部材５は、カバー部材５の復元力によって円管１１上に定着する。
【００３６】
次に、カバー部材５の上に接着剤７を塗布する。接着剤７の塗布は、公知の方法を用いることができる。接着剤７は、少なくとも補強シート８を貼り付ける位置に塗布する。
【００３７】
接着剤７を塗布した後、図７に示されているように、バンテージ形状の補強シート８をカバー部材５の上に巻きつけ、補強シート８をカバー部材に貼り付ける。補強シート８を固定するために、補強シート８に接着剤を塗布してもよい。
【００３８】
最後に、補強シート８に、樹脂１１を含む溶剤を塗布する。塗布は、公知の方法を用いることができる。
【符号の説明】
【００３９】
１    配管経路損傷部補修構造
３    ピンホール
５    カバー部材
７    接着剤
８    補強シート
９    樹脂
１０  配管経路
１１  円管
１３  スリット
【図１】
0006558886.tif 000002
【図２】
0006558886.tif 000003
【図３】
0006558886.tif 000004
【図４】
0006558886.tif 000005
【図５】
0006558886.tif 000006
【図６】
0006558886.tif 000007
【図７】
0006558886.tif 000008